(57)【要約】【課題】  撮影者の意図した拡大映像をスムーズに得ることができるビデオ撮像装置を提供する。【解決手段】  直視型表示ユニット１はキャリングハンドル５の端部に稼動止め具６で取り付けられており、直視型表示ユニット１の稼動止め具１９で展開させると第１表示パネル８と、第２表示パネル１４の２面に水平に展開するようになっている。このように、複数の直視型表示パネル８，１４を備えることにより、第１表示パネル８の全体映像を見ながら、第２表示パネル１４で拡大映像を見ることができ、さらに、拡大映像が全体映像のどこの部分であるか明確に判るので撮影者の意図した拡大映像をスムーズに得ることができる。【選択図】      図２
2006020225.tif 000002
【特許請求の範囲】
【請求項１】
タッチパネルを備えた第１の直視型表示パネルと、第２の直視型表示パネルと、撮像映像の全体画像を前記第１の直視型表示パネルに表示させると共に、前記第１の直視型表示パネルで表示した全体画像の一部映像を拡大させて前記第２の直視型表示パネルに表示させる映像表示手段とを備えたビデオ撮像装置であって、
前記タッチパネル上の所望の２つのタッチから２つのタッチ点を検出するタッチ位置検出手段と、
前記２つのタッチ点を対角として決定される矩形領域を表すための矩形枠表示信号を生成する枠信号発生手段とを備え、
前記映像表示手段は、前記撮像映像の全体画像と前記生成された矩形枠表示信号とを混合して前記第１の直視型表示パネルで表示させると共に、前記２つのタッチ点より決定された矩形領域内映像データを前記第２の直視型表示パネルの画面全体に拡大表示させるよう制御することを特徴とするビデオ撮像装置。
【請求項２】
前記第１、第２の直視型表示パネルのバックライトを個別に点灯・消灯させるバックライト点灯制御手段と、フォーカスリングを撮影者が触れたことを検出する検出手段とを有し、
前記バックライト点灯制御手段は、前記検出手段が前記フォーカスリングを撮影者が触れたことを検出すれば、前記拡大画面を表示する第２の直視型表示パネルのバックライトを点灯させ、フォーカスリングを撮影者が離すと当該バックライトを消灯させることを特徴とする請求項１に記載のビデオ撮像装置。
【発明の詳細な説明】
【技術分野】
【０００１】
本発明は直視型映像表示パネルを備えたビデオ撮像装置に関する。
【背景技術】
【０００２】
以前、ビデオカメラにはビューファインダーが１つ取り付けられているのみであった。ビューファインダーには小型のブラウン管が用いられており光学レンズで拡大して見る構造であった。このような構造のビューファインダーの場合、光学レンズを覗き込まなければならないので撮影スタイルが限定されてしまうという問題があった。例えば、高い位置からの撮影のためにビデオカメラを持ち上げてしまうとビューファインダーが見えなくなってしまうのである。
【０００３】
上の問題を解決するために、近年、小型の直視型液晶ディスプレーの進歩に伴い、従来のビューファインダーの他にビデオカメラ本体に小型の液晶ディスプレーを設け、ビューファインダーを直接覗き込まなくても被写体が見えるようにしている。
【０００４】
さらに、表示パネルの表面にタッチパネルを備えてタッチ操作で情報を入力する提案も既に数多く撮案されている。例えば特開２００１−３４４０６号公報（特許文献１）特開平０９−１１６７９２号公報（特許文献２）では撮影画像を監視しながら各種機能操作の入力をタッチパネルを備えた画面上で行う技術が開示されている。これらによれば別途に操作入力スイッチのある撮像装置と比較して、スイッチの位置を気にすることなく確実で迅速な撮像装置の操作を行うことができ、また、画面上に撮影画面と共に、ズーム枠、カーソル等により現在動作中の状態が表示されるので、常に動作状態を確認しながら撮像装置の操作を行うことができる。
【０００５】
一方、今日テレビ放送方式がＳＤ（標準精細）からＨＤ（高精細）に変わろうとしている。そこで、すでに放送業務用だけでなく民生用でもＨＤのカムコーダーが発売されている。ＨＤの場合ビューファインダーの精細度がＳＤに比較して数倍必要である。しかし、近くで見る場合の人間の目の解像度の限界が約２００〜３００ｐｐｉ（ｐｐｉ：１インチ当たりのピクセル数）であるためＨＤの画素数だけピクセル数がある表示デバイスは相当に大型となってしまう。したがって小型のカムコーダーやビデオカメラ等に搭載できないという問題点があった。また、大型のディスプレーは高価であり消費電力が大きいという欠点がある。小型の十分な精細度が無いディスプレーの場合は、フォーカスがあっているのかどうか判断が難しいという問題点があった。
【０００６】
そこで、特開平０７−２８４００３号公報（特許文献３）では、液晶ディスプレーなどの小型の表示デバイスでフォーカスがあっているかどうかを判断するために手段として映像の一部を拡大するマグニファイアー機能や、折り返しやある種の変調により高域成分の量を見ることができるようにする技術が開示されている。
【０００７】
しかし、従来のマグニファイアー機能の場合、表示パネルが１つであるので、ビューファインダーに拡大映像を映し出すと、現在撮影している映像の全体の様子が見えなくなるという問題点があった。また、拡大位置の移動を容易にするために十字型のスイッチによる方法など多くの提案がなされているが、拡大表示のままでは撮影者の意図通りの位置に移動させるのが難しく、映像の全体表示に枠などのマーカーを表示しておき意図した位置までマーカーを移動させてから拡大表示に切り替えていた。このため意図した位置の拡大映像を得るためには手間がかかる問題点があった。さらに、折り返しやある種の変調の場合、映像の一部を加工しているので映像のディテールが見えなくなるという問題点があった。
【０００８】
本願発明者らは表示装置上にタッチパネルを積層してなるタッチスクリーンを有したタッチパネル表示装置以外に、第２の表示装置を備え、タッチ入力操作が容易に行えるカメラ一体型映像記録再生装置、タッチパネル入力装置を提案している。しかし、撮影者の意図した位置の拡大映像を得るにはやはり手間がかかる問題点が残されていた。
【特許文献１】特開２００１−３４４０６１号公報
【特許文献２】特開平０９−１１６７９２号公報
【特許文献３】特開平０７−２８４００３号公報
【発明の開示】
【発明が解決しようとする課題】
【０００９】
本発明は、上述の問題点に鑑みてなされたものであり、複数の表示パネルの一面に映像の全画面を表示し、他の表示パネルに拡大映像を表示させることができ、正確なフォーカス調整を可能にし、また全体画像の中のどの部分の拡大表示であるかが容易に分かるビデオ撮像装置を提供することを目的とする。
【課題を解決するための手段】
【００１０】
請求項１の発明は、タッチパネルを備えた第１の直視型表示パネルと、第２の直視型表示パネルと、撮像映像の全体画像を前記第１の直視型表示パネルに表示させると共に、前記第１の直視型表示パネルで表示した全体画像の一部映像を拡大させて前記第２の直視型表示パネルに表示させる映像表示手段とを備えたビデオ撮像装置であって、前記タッチパネル上の所望の２つのタッチから２つのタッチ点を検出するタッチ位置検出手段と、前記２つのタッチ点を対角として決定される矩形領域を表すための矩形枠表示信号を生成する枠信号発生手段とを備え、前記映像表示手段は、前記撮像映像の全体画像と前記生成された矩形枠表示信号とを混合して前記第１の直視型表示パネルで表示させると共に、前記２つのタッチ点より決定された矩形領域内映像データを前記第２の直視型表示パネルの画面全体に拡大表示させるよう制御することを特徴とするものである。
【００１１】
請求項２の発明は、請求項１のビデオ撮像装置において、前記第１、第２の直視型表示パネルのバックライトを個別に点灯・消灯させるバックライト点灯制御手段と、フォーカスリングを撮影者が触れたことを検出する検出手段とを有し、前記バックライト点灯制御手段は、前記検出手段が前記フォーカスリングを撮影者が触れたことを検出すれば、前記拡大画面を表示する第２の直視型表示パネルのバックライトを点灯させ、フォーカスリングを撮影者が離すと当該バックライトを消灯させることを特徴とするものである。
【発明の効果】
【００１２】
本発明によれば、映像表示パネルを複数備えているので、一面を拡大画像表示に使用することで正確なフォーカス調整が可能であり、また拡大位置の指示選択が全体画像と拡大画像を同時に見ながらできるので簡単に行うことができる。
【発明を実施するための最良の形態】
【００１３】
以下、本発明の実施の形態を図に基づいて詳説する。
【００１４】
（第１の実施の形態）図１は本発明の第１の実施の形態のビデオ撮像装置の斜視図である。撮像装置本体２０にはレンズ２、フード３、キャリングハンドル５が取り付けられている。キャリングハンドル５のレンズ２、フード３側の端部に稼動止め具６で直視型表示パネル１が取り付けられており、逆端部に覗き込み型ビューファインダー４が取り付けられている。
【００１５】
図２は本実施の形態の撮像装置本体２０の直視型表示パネル１が取り付けられている部分の斜視図であり、直視型表示ユニット１を展開した状態を表している。直視型表示ユニット１はキャリングハンドル５の端部に稼動止め具６にて取り付けられている。また、直視型表示ユニット１を稼動止め具１９で展開させると第１表示パネル８と、第２表示パネル１４の２面に水平に展開するようになっている。図３は直視型表示ユニット１を稼動止め具６で展開させて立てた状態の図である。
【００１６】
図４は本実施の形態のビデオ撮像装置の機能ブロック図であり、タッチパネル９付の第１表示パネル８、第２表示パネル１４、映像信号入力を処理する映像処理部７、タッチパネル９に対するタッチ位置検出部１０、装置全体を制御する制御部１１、タッチパネル９に対するタッチ位置に対応し、２つのタッチ位置を対角２点とした矩形表示枠を決定し、この矩形表示枠を表すための矩形枠表示信号を生成する枠信号発生部１２、全体映像から該当矩形枠領域内の映像を拡大表示して第２表示パネル１４に表示させるための処理を行う映像拡大処理部１３を備えている。
【００１７】
次に、上記ビデオ撮像装置による映像表示処理について説明する。撮影された映像信号はカメラ信号処理部（図示せず）から送られてくる。送られてきた映像信号は映像処理部７で枠信号合成や画素数変換などの表示パネルに必要な信号処理が行われ、第１表示パネル８に表示される。第１表示パネル８の表面にあるタッチパネル９に撮影者がタッチするとタッチ位置検出部１０でタッチ位置情報を検出し、制御部１１にタッチ位置情報を送る。制御部１１では各種の設定スイッチなどの状態とタッチ位置情報から判断し、枠信号発生部１２の枠信号発生タイミングを制御する。枠信号は映像処理部７で映像信号と混合され、これによって拡大映像の該当部分を枠表示する。
【００１８】
拡大映像処埋部１３では画素数変換やタッチ位置に対応して表示枠内の映像の拡大処理が行われ、第２表示パネル１４に表示される。タッチ位置検出部１０、制御部１ｌ、枠信号発生部１２は制御用マイコン等で処理することもできる。
【００１９】
図５は本実施の形態の第１、第２表示パネル８，１４に表示された映像例を示している。図４の左の第１表示パネル８には撮影中の映像の全体が表示されている。第１表示パネル８の表面にはタッチパネル９が備えられており、撮影者が裏面を指などでタッチすると、２つのタッチ位置を対角２点とする矩形表示枠を決定し、全体映像の中のこの矩形枠領域内の映像が拡大されて右の第２表示パネル１４に表示される。そして第２表示パネル１４に表示されている映像の範囲が第１表示パネル８に枠として表示される。これによって、第１表示パネル８で画面全体の構図を確認しながら、第２表示パネル１４に表示された拡大映像を見ることができるので、正確なマニュアルフォーカス調整が可能である。
【００２０】
（第２の実施の形態）本発明の第２の実施の形態のビデオ撮像装置について、図６、図７を用いて説明する。図６は第２の実施の形態の機能ブロック図を示している。本実施の形態の装置は、音声レベル制御を行う機能を備えている。図４に示した第１の実施の形態の装置に対して、さらにレベルバー表示生成部１６、音声振幅検出部１７、音量可変部１８を備えていて、音声信号入力の増幅量を可変調整することができ、またそのための操作がタッチパネル９へのタッチ操作で行えるようにしたことを特徴とする。
【００２１】
映像処理部１５は第２表示パネル１４に映像を表示するための画素数変換などの処理を行う。音声信号は音声振幅検出部１７で音声振幅レベル情報に変換され制御部１１に入力される。制御部１１では音声振幅レベル情報と各種スイッチ等の情報から判断し、レベルバー表示生成部１６でレベルバー表示画像の生成を行う。映像処理部７では映像信号とレベルバー表示画像の混合や画素数変換などを行う。映像処理部７では制御部１１の制御により入力映像を特定の輝度色度の背景映像にすることもできる。音量可変部１８は制御部１１からの制御により音量を可変する音量可変部である。装置全体のステータスなどもレベルバー表示生成部１６で作成する。
【００２２】
図７は音声レベル表示を行う場合の表示例を示す。レベルバーの近くには音量調整のための表示があり、第１表示パネルのこの表示部分をタッチすることで音量レベルを制御することができる。
【００２３】
（第３の実施の形態）第１、第２の実施の形態において、図８に示すように、ビデオ撮像装置のオートフォーカス調整機能を用いる場合は拡大表示は不要であるから、制御部１１によりオートフォーカスセット信号２３が入力されると、拡大表示のための第２表示パネル１４のバックライト２２を消灯することにより消費電力を少なくすることができる。また、ビューファインダー切換え信号２４により覗き込み型のビューファインダー４の使用時には直視型表示ユニット１の全表示パネル８，１４のバックライト２１，２２をすベて消灯することもできる。
【００２４】
さらに、フォーカスリング表面にタッチセンサーなどを設け、撮影者がフォーカスリングに触れた時だけ、そのタッチ信号２５の入力によって拡大表示する第２表示パネル１４のバックライト２２を点灯するようにすれば、点灯する手間を省くことができ操作性が良くなる上に、消費電力を少なくすることができる。
【図面の簡単な説明】
【００２５】
【図１】本発明の第１の実施の形態のビデオ撮像装置の斜視図。
【図２】上記実施の形態の表示ユニット部を展開した状態の斜視図。
【図３】上記実施の形態の表示ユニット部を立てた状態の斜視図。
【図４】上記実施の形態の機能ブロック図。
【図５】上記実施の形態における表示ユニットの表示状態を示す説明図。
【図６】本発明の第２の実施の形態のビデオ撮像装置の機能ブロック図。
【図７】上記実施の形態における表示ユニットの音声レベルの表示状態を示す説明図。
【図８】本発明の第３の実施の形態のビデオ撮像装置の機能ブロック図。
【符号の説明】
【００２６】
１  直視型表示ユニット
２  レンズ
３  フード
４  覗き込み型ビューファインダー
５  キャリングハンドル
６，１９  稼動止め具
７  映像処理部
８  第１表示パネル
９  タッチパネル
１０  タッチ位置検出部
１１  制御部
１２  枠信号発生部
１３  映像拡大処理部
１４  第２表示パネル
１５  映像処理部
１６  レベルバー表示生成部
１７  音声振幅検出部
１８  音量可変部
２０  撮像装置本体
２１  第１バックライト
２２  第２バックライト
【図１】
2006020225.tif 000003
【図２】
2006020225.tif 000004
【図３】
2006020225.tif 000005
【図４】
2006020225.tif 000006
【図５】
2006020225.tif 000007
【図６】
2006020225.tif 000008
【図７】
2006020225.tif 000009
【図８】
2006020225.tif 000010